(57)【要約】【課題】電力消費を効率的に抑制して電池の寿命を高めることが可能な電池式制御装置を提供する。【解決手段】ガスコンロは、電池２０ａが装着される電池装着部２０と、電池２０ａに基づいて一定電圧を生成する定電圧回路３１と、電池２０ａに基づいて一定電圧を生成する定電圧回路３２と、定電圧回路３１からの電圧が供給される第１の負荷群と、定電圧回路３２からの電圧が供給される第２の負荷群と、装置状態に基づいて定電圧回路３２による電圧の供給を遮断するＦＥＴ３３と、を備える。【選択図】図２
2019115117.tif 000002
【特許請求の範囲】
【請求項１】
電池が装着される電池装着部と、
前記電池に基づいて第１の電源電圧を生成する第１の電圧生成回路と、
前記電池に基づいて第２の電源電圧を生成する第２の電圧生成回路と、
前記第１の電圧生成回路から前記第１の電源電圧が供給される第１の負荷群と、
前記第２の電圧生成回路から前記第２の電源電圧が供給される第２の負荷群と、
装置状態に基づいて前記第２の電圧生成回路による前記第２の電源電圧の供給を遮断する遮断回路と、を備える、
ことを特徴とする電池式制御装置。
【請求項２】
請求項１に記載の電池式制御装置において、
外部に開放された第１の状態と内部に収納された第２の状態とに切り替え可能な操作表示部を備え、
前記第２の負荷群は、前記操作表示部に関連する所定の負荷を含み、
前記遮断回路は、前記操作表示部が前記第２の状態にあることに基づいて、前記第２の負荷群に対する前記第２の電源電圧の供給を遮断する、
ことを特徴とする電池式制御装置。
【請求項３】
請求項２に記載の電池式制御装置において、
前記第２の負荷群は、液晶表示器を駆動するための回路を含む、
ことを特徴とする電池式制御装置。
【請求項４】
請求項２または３に記載の電池式制御装置において、
前記第２の負荷群は、高輝度発光素子を駆動するための回路を含む、
ことを特徴とする電池式制御装置。
【請求項５】
請求項１ないし４の何れか一項に記載の電池式制御装置において、
前記遮断回路は、前記電池装着部と前記第２の電圧生成回路との間に介挿されている、
ことを特徴とする電池式制御装置。
【請求項６】
請求項１ないし５の何れか一項に記載の電池式制御装置において、
第１のマイクロコンピュータが設置された第１の基板と、
前記第１のマイクロコンピュータと通信可能な第２のマイクロコンピュータが設置された第２の基板と、を備え、
前記第１の負荷群は、前記第１のマイクロコンピュータおよび前記第２のマイクロコンピュータを含む、
ことを特徴とする電池式制御装置。
【請求項７】
請求項６に記載の電池式制御装置において、
前記第１のマイクロコンピュータが、前記遮断回路を切り替え制御する、
ことを特徴とする電池式制御装置。
【請求項８】
請求項６または７に記載の電池式制御装置において、
装置状態に基づいて前記第２の基板に設置された前記第２の負荷群に対する前記第２の電源電圧の供給を遮断する他の遮断回路をさらに備える、
ことを特徴とする電池式制御装置。
【請求項９】
請求項８に記載の電池式制御装置において、
前記第２のマイクロコンピュータが、前記他の遮断回路を切り替え制御する、
ことを特徴とする電池式制御装置。
【請求項１０】
請求項１ないし９の何れか一項に記載の電池式制御装置において、
前記第２の電源電圧は、前記第１の電源電圧よりも高く、
前記第２の負荷群は、前記第１の負荷群よりも高い駆動電圧により作動する、
ことを特徴とする電池式制御装置。
【請求項１１】
請求項１ないし１０の何れか一項に記載の電池式制御装置において、
前記電池式制御装置は、ガスコンロである、
ことを特徴とする電池式制御装置。
【発明の詳細な説明】
【技術分野】
【０００１】
本発明は、電池を電源として用いる電池式制御装置に関し、たとえば、電池式のガスコンロに用いて好適なものである。
【背景技術】
【０００２】
従来、電池を電源として各種制御を行う電池式制御装置が、種々の分野で開発され商品化されている。たとえば、以下の特許文献１には、このような電池式制御装置として、乾電池を電源として用いたガスコンロが記載されている。このガスコンロは、燃焼制御のための主制御基板と、コンロに関する操作を受け付けるためのコンロ操作基板と、グリルに関する操作を受け付けるためのグリル操作基板とを備え、これら基板にそれぞれ個別にマイクロコンピュータ（以下、「マイコン」という）が搭載されている。主制御基板のマイコンと、コンロ操作基板およびグリル操作基板のマイコンとの間で通信が行われて、コンロおよびグリルに関する操作入力が、主制御基板のマイコンに送信される。
【先行技術文献】
【特許文献】
【０００３】
【特許文献１】特開２０１５−２０９９８１号公報
【発明の概要】
【発明が解決しようとする課題】
【０００４】
上記のように複数の基板にそれぞれマイコンが搭載される構成では、各マイコンで個別に電力が消費されるため、電池の寿命が短くなるといった問題が生じる。このため、このような構成では、無駄な電力消費を極力抑制して、電池の寿命を少しでも長くすることが望まれる。特に、液晶や、そのバックライト装置、あるいは、白色ＬＥＤ（Light Emitting Diode）等の高い電力を必要とする素子が搭載される構成では、電池の寿命が著しく短くなることが起こり得る。したがって、このような構成の装置では、これらの部材による電力消費を効率的に抑制することが望まれる。
【０００５】
かかる課題に鑑み、本発明は、電力消費を効率的に抑制して電池の寿命を高めることが可能な電池式制御装置を提供することを目的とする。
【課題を解決するための手段】
【０００６】
本発明の主たる態様に係る電池式制御装置は、電池が装着される電池装着部と、前記電池に基づいて第１の電源電圧を生成する第１の電圧生成回路と、前記電池に基づいて第２の電源電圧を生成する第２の電圧生成回路と、前記第１の電圧生成回路から前記第１の電源電圧が供給される第１の負荷群と、前記第２の電圧生成回路から前記第２の電源電圧が供給される第２の負荷群と、装置状態に基づいて前記第２の電圧生成回路による前記第２の電源電圧の供給を遮断する遮断回路と、を備える。
【０００７】
上記の構成によれば、たとえば、電池式制御装置が第２の負荷群を動作させる必要がないような装置状態である場合に、第２の負荷群に対する第２の電源電圧の供給が遮断され、第２の負荷群による電力消費が抑制される。よって、電池の寿命を効率的に高めることができる。
【０００８】
本態様に係る電池式制御装置は、外部に開放された第１の状態と内部に収納された第２の状態とに切り替え可能な操作表示部を備え得る。この場合、前記第２の負荷群は、前記操作表示部に関連する所定の負荷を含み、前記遮断回路は、前記操作表示部が前記第２の状態にあることに基づいて、前記第２の負荷群に対する前記第２の電源電圧の供給を遮断するよう構成され得る。
【０００９】
上記の構成によれば、操作表示部が内部に収納された第２の状態にあること、すなわち操作表示部が使用されない状態にあることに基づいて、前記操作表示部に関連する第２の負荷群に対して第２の電源電圧の供給が遮断される。よって、第２の負荷群による電力消費を効率的に抑制して電池の寿命を高めることができる。
【００１０】
この構成において、前記第２の負荷群は、液晶表示器を駆動するための回路を含み得る。また、前記第２の負荷群は、高輝度発光素子を駆動するための回路を含み得る。
【００１１】
このように、第２の負荷群に電力消費が高い回路が含まれることにより、第２の負荷群による無駄な電力消費が効果的に抑制され、電池の寿命をより効率的に高めることができる。
【００１２】
本態様に係る電池式制御装置において、前記遮断回路は、前記電池装着部と前記第２の電圧生成回路との間に介挿されるのが好ましい。
【００１３】
この構成によれば、遮断回路により第２の電圧生成回路に対する電力供給も遮断されるため、第２の電圧生成回路による無駄な電力消費が抑制される。よって、電池の寿命をより効果的に高めることができる。
【００１４】
本態様に係る電池式制御装置は、第１のマイクロコンピュータが設置された第１の基板と、前記第１のマイクロコンピュータと通信可能な第２のマイクロコンピュータが設置された第２の基板と、を備え、前記第１の負荷群は、前記第１のマイクロコンピュータおよび前記第２のマイクロコンピュータを含むように構成され得る。
【００１５】
この構成によれば、遮断回路が動作しても、第１のマイクロコンピュータおよび第２のマイクロコンピュータに対する電力供給が継続され、これらマイクロコンピュータ間の通信が維持される。よって、各マイクロコンピュータに基づく装置の制御を適切に行うことができる。
【００１６】
この場合、電池式制御装置は、前記第１のマイクロコンピュータが、前記遮断回路を切り替え制御するよう構成され得る。
【００１７】
この構成によれば、装置状態に応じて遮断回路を切り替えための回路を別途設ける必要がないため、回路規模の抑制とコストの低減を図ることができる。
【００１８】
また、電池式制御装置は、装置状態に基づいて前記第２の基板に設置された前記第２の負荷群に対する前記第２の電源電圧の供給を遮断する他の遮断回路をさらに備えていてもよい。
【００１９】
この構成によれば、第２の基板に設置された第２の負荷群に対する電力供給を、装置状態に応じて個別に遮断できるため、より細かく且つ柔軟に、第２の負荷群による無駄な電力消費を抑制できる。
【００２０】
この場合、電池式制御装置は、前記第２のマイクロコンピュータが、前記他の遮断回路を切り替え制御するよう構成され得る。
【００２１】
この構成によれば、装置状態に応じて他の遮断回路を切り替えための回路を別途設ける必要がないため、回路規模の抑制とコストの低減を図ることができる。
【００２２】
本態様に係る電池式制御装置において、前記第２の電源電圧は、前記第１の電源電圧よりも高く、前記第２の負荷群は、前記第１の負荷群よりも高い駆動電圧により作動するよう構成され得る。
【００２３】
この構成によれば、より電力消費が高い第２の負荷群について、電力の供給が遮断されるため、無駄な電力消費をより効果的に抑制できる。よって、電池の寿命をより効果的に高めることができる。
【００２４】
本態様に係る電池式制御装置は、たとえば、ガスコンロである。
【００２５】
この構成によれば、ガスコンロの状態に基づいて第２の負荷群に対する電力供給が遮断されるため、第２の負荷群による無駄な電力消費を適切に抑制できる。よって、電池の寿命を効率的に高めることができ、調理をより円滑に進めることができる。
【発明の効果】
【００２６】
以上のとおり、本発明によれば、電力消費を効率的に抑制して電池の寿命を高めることが可能な電池式制御装置を提供することができる。
【００２７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２８】
【図１】図１は、実施の形態に係るガスコンロの構成を示す斜視図である。
【図２】図２は、実施の形態に係るガスコンロの構成を示すブロック図である。
【図３】図３は、実施の形態に係る電力の遮断制御を示すフローチャートである。
【図４】図４は、変更例に係るガスコンロの構成を示すブロック図である。
【図５】図５は、変更例に係る電力の遮断制御を示すフローチャートである。
【発明を実施するための形態】
【００２９】
以下、本発明の燃焼装置の一実施形態であるガスコンロ１について図面を参照して説明する。
【００３０】
本実施の形態では、定電圧回路３１および定電圧回路３２が、それぞれ、特許請求の範囲に記載の「第１の電圧生成回路」および「第２の電圧生成回路」に対応し、ＦＥＴ３３が、特許請求の範囲に記載の「遮断回路」に対応し、操作パネル１１、１３が、特許請求の範囲に記載の「操作表示部」に対応する。ただし、上記対応付けによって特許請求の範囲に記載の発明が実施形態の構成に限定されるものではない。
【００３１】
図１は、本実施の形態に係る、ガスコンロ１の構成を示す斜視図である。
【００３２】
図１に示すように、ガスコンロ１は、コンロ本体２と、コンロ本体２の上部に設置された天板３とを備える。天板３には、３つのコンロ部４ａ、４ｂ、４ｃが配置されている。コンロ部４ａ、４ｂ、４ｃは、それぞれ、ガスを燃料として燃焼するガスバーナと、鍋等を設置するためのごとくを備える。また、天板３の後部には、左右に並ぶように２つの排気口５が設けられる。
【００３３】
コンロ本体２の内部には、中央部にグリル部６が設けられる。グリル部６には、上下にグリルバーナ（図示せず）が設けられ、グリルバーナの燃焼によりグリル調理が行われる。グリル部６からは排気口５を通じて排気が行われる。
【００３４】
コンロ本体２の正面には、中央部にグリル扉７が設けられる。グリル扉７の裏側にグリル皿（図示せず）が一体的に設けられ、グリル扉７を前方に移動させることで、グリル皿をグリル部６から外部へ引き出すことができる。また、コンロ本体２の正面には、グリル扉７の右側および左側に、それぞれ、コンロ部４ａ、４ｂ、４ｃ用の操作部８と、グリル部６用の操作部９とが設けられている。
【００３５】
操作部８は、３つのコンロ部４ａ、４ｂ、４ｃに対応する３つの点火ボタン１０ａ、１０ｂ、１０ｃと、カンガルーポケット型の操作パネル１１と、を含む。点火ボタン１０ａ、１０ｂ、１０ｃは、それぞれに対応するコンロ部４ａ、４ｂ、４ｃに点火するとき、および、点火しているコンロ部４ａ、４ｂ、４ｃを消火するときに操作される。
【００３６】
操作パネル１１には、コンロ部４ａ、４ｂ、４ｃに関する所定の設定を入力するための操作キー群と、当該操作キー群に対する操作に応じた情報や、コンロ部４ａ、４ｂ、４ｃの点火／消灯状態等を表示するための表示部が設けられる。表示部は、光源に白色ＬＥＤを用いた７セグ表示器を備える。７セグ表示器により、たとえば、コンロ部４ａ、４ｂ、４ｃに設定されたタイマー時間等が表示される。
【００３７】
操作部９は、点火ボタン１２と、カンガルーポケット型の操作パネル１３と、を含む。点火ボタン１２は、グリル部６のグリルバーナに点火するとき、および、点火しているグリルバーナを消火するときに操作される。
【００３８】
操作パネル１３には、グリル部６に関する所定の設定を入力するための操作キー群と、当該操作キー群に対する操作に応じた情報や、グリル部６の点火／消灯状態等を表示するための表示部が設けられる。表示部は、光源に白色ＬＥＤ（Light Emitting Diode）を用いた７セグ表示器を備える。７セグ表示器により、たとえば、グリル部６に設定されたタイマー時間等が表示される。さらに、グリル部６には、調理に関する情報を表示するための液晶表示器が設けられている。
【００３９】
操作パネル１１、１３は、下端を軸として前後に回動可能となっている。操作パネル１１、１３は、図１に示した第１の状態において、上面の操作キー群および表示部が外部に開放され、これら操作キー群に対する操作入力を受け付けることができる。図１に示した第１の状態から操作パネル１１、１３が後方に押し込まれると、操作パネル１１、１３は、前面がコンロ本体２の前面と面一となる第２の状態にロックされる。この第２の状態において、操作パネル１１、１３上面の操作キー群および表示部は、コンロ本体２内に収納されて外部から遮蔽されるため、操作パネル１１、１３は、これら操作キー群に対する操作入力を受け付けることができない。操作パネル１１、１３は、第２の状態において前面が押されることによりロックが解除され、バネ等の弾性力によって前方に回動し、図１に示す第１の状態に復帰する。
【００４０】
コンロ本体２の正面右端には、ガスコンロ１を起動するための電源スイッチ１４が設けられている。
【００４１】
図２は、本実施の形態に係る、ガスコンロ１の構成を示すブロック図である。図２には、回路部における電力系統の配線状態が示されている。
【００４２】
ガスコンロ１は、図１に示した電源スイッチ１４の他、電池装着部２０と、主制御基板３０と、グリル操作基板４０と、コンロ操作基板５０と、換気連動基板６０とを備えている。本実施形態では、電池装着部２０に、２つの乾電池が装着される。電池装着部２０は、装着された電池２０ａの電力を、電源スイッチ１４を介して主制御基板３０に供給する。
【００４３】
主制御基板３０には、燃焼制御に関連する主たる回路部が実装される。グリル操作基板４０には、図１に示したグリル部６用の操作パネル１３に関連する回路部が実装される。コンロ操作基板５０には、図１に示したコンロ部４ａ、４ｂ、４ｃ用の操作パネル１１に関連する回路部が実装される。換気連動基板６０には、レンジフード等の換気装置との間で連携動作を行うための回路部（たとえば赤外線通信回路等）が実装される。
【００４４】
なお、図２には、主制御基板３０、グリル操作基板４０およびコンロ操作基板５０に設置される主たる回路部が示されており、これら基板に設置される回路部は図２に示したものに限られるものではない。たとえば、グリル操作基板４０およびコンロ操作基板５０には、さらに、操作キーの関する回路部が含まれ得る。
【００４５】
主制御基板３０には、定電圧回路３１、３２と、ＦＥＴ（Field effecttransistor）３３と、マイコン３４と、電磁弁回路３５と、ラッチ弁回路３６と、ＩＧ回路３７と、モータ駆動回路３８とが設置されている。
【００４６】
定電圧回路３１は、ラインＬ０を介して電池２０ａから供給される電圧をもとに一定電圧を生成してラインＬ１に出力する。定電圧回路３１は、たとえば、ＤＣ−ＤＣコンバータにより構成される。定電圧回路３１がレギュレータにより構成されてもよい。ここでは、定電圧回路３１により、３Ｖの一定電圧が生成される。
【００４７】
定電圧回路３２は、ラインＬ０およびＦＥＴ３３を介して電池２０ａから供給される電圧をもとに一定電圧を生成してラインＬ２に出力する。定電圧回路３２は、たとえば、ＤＣ−ＤＣコンバータにより構成される。定電圧回路３２がレギュレータにより構成されてもよい。ここでは、定電圧回路３２により、５Ｖの一定電圧が生成される。定電圧回路３２により生成される電圧は、液晶回路４６および白色ＬＥＤ回路４５、５４を動作させるに必要な電圧に設定される。
【００４８】
ＦＥＴ３３は、電池装着部２０と定電圧回路３２との間に介挿され、マイコン３４からの制御により、定電圧回路３２に対する電池電圧の供給を遮断する。マイコン３４は、マイコン４２、５２から受信した操作入力に関する情報に基づいて、主制御基板３０上の各回路部を制御する。マイコン３４は、グリル操作基板４０のマイコン４２およびコンロ操作基板５０のマイコン５２と通信可能である。この通信は、電力供給用のラインＬ１を介して行われてもよく、あるいは、別途配した通信線を介して行われてもよい。通信にラインＬ１を用いる場合は、定電圧回路３１から供給される電圧に、通信用の信号が重畳されて、マイコン３４とマイコン４２およびマイコン５２との間の通信が行われる。
【００４９】
電磁弁回路３５は、ガス燃料の配管に設けられた電磁弁を開閉させるための回路である。ラッチ弁回路３６は、グリル部６の火力を調節するための弁を駆動する回路である。ＩＧ回路３７は、コンロ部４ａ〜４ｃおよびグリル部６を点火させるためのイグナイタを駆動するための回路である。モータ駆動回路３８は、コンロ部４ａ、４ｂ、４ｃのガスバーナおよびグリル部６のグリルバーナに対するガスの供給量を調節するためのステッピングモータを駆動するための回路である。
【００５０】
主制御基板３０に設置されたマイコン３４、電磁弁回路３５、ラッチ弁回路３６、ＩＧ回路３７およびモータ駆動回路３８には、それぞれ定電圧回路３１により生成された３Ｖの電圧が供給される。
【００５１】
グリル操作基板４０には、検出スイッチ４１と、マイコン４２と、メモリ４３と、橙色ＬＥＤ回路４４と、白色ＬＥＤ回路４５と、液晶回路４６が設置されている。
【００５２】
検出スイッチ４１は、図１に示したグリル部６用の操作パネル１３の開閉に応じて開閉する。たとえば、検出スイッチ４１は、操作パネル１３が開状態（第１の状態）にあるときに閉状態となり、操作パネル１３が閉状態（第２の状態）にあるときに開状態となる。
【００５３】
マイコン４２は、グリル操作基板４０に設置された各回路部を制御する。メモリ４３は、たとえば、シリアルフラッシュメモリにより構成され、マイコン４２による制御に必要な各種情報を記憶する。マイコン４２は、検出スイッチ４１の状態を示す情報を随時メモリ４３に記憶させ、主制御基板３０側のマイコン３４からの問い合わせに応じて、メモリ４３から検出スイッチ５１の状態を示す情報を読み出して、マイコン３４に送信する。
【００５４】
橙色ＬＥＤ回路４４は、グリル部６用の操作パネル１３（図１参照）に配置された橙色ＬＥＤ（Light Emitting Diode）を、マイコン４２からの制御に基づき駆動する。橙色ＬＥＤは、グリル部６の点火／消火状態を表示するための光源である。白色ＬＥＤ回路４５は、グリル部６用の操作パネル１３に配置された白色ＬＥＤを、マイコン４２からの制御に基づき駆動する。白色ＬＥＤは、７セグ表示器の光源である。
【００５５】
液晶回路４６は、グリル部６用の操作パネル１３（図１参照）に設けられた液晶表示器を、マイコン４２からの制御に基づき駆動する。液晶表示器は、液晶パネルとそのバックライト装置を備えている。液晶回路４６は、マイコン４２からの制御に基づき、液晶パネルとバックライト装置を駆動する。
【００５６】
グリル操作基板４０に設置された回路部のうち、検出スイッチ４１、マイコン４２、メモリ４３および橙色ＬＥＤ回路４４には、それぞれ定電圧回路３１により生成された３Ｖの電圧がラインＬ１を介して供給される。また、グリル操作基板４０に設置された白色ＬＥＤ回路４５および液晶回路４６には、定電圧回路３２により生成された５Ｖの電圧がラインＬ２を介して供給される。
【００５７】
コンロ操作基板５０には、検出スイッチ５１と、マイコン５２と、メモリ５３と、白色ＬＥＤ回路５４と、音声ＩＣ（Integrated Circuit）５６が設置されている。
【００５８】
検出スイッチ５１は、図１に示したコンロ部４ａ〜４ｃ用の操作パネル１１の開閉に応じて開閉する。たとえば、検出スイッチ５１は、操作パネル１１が開状態（第１の状態）にあるときに閉状態となり、操作パネル１１が閉状態（第２の状態）にあるときに開状態となる。
【００５９】
マイコン５２は、コンロ操作基板５０に設置された各回路部を制御する。メモリ５３は、たとえば、シリアルフラッシュメモリにより構成され、マイコン５２による制御に必要な各種情報を記憶する。マイコン５２は、検出スイッチ５１の状態を示す情報を随時メモリ５３に記憶させ、主制御基板３０側のマイコン３４からの問い合わせに応じて、メモリ５３から検出スイッチ５１の状態を示す情報を読み出して、マイコン３４に送信する。
【００６０】
白色ＬＥＤ回路５４は、コンロ部４ａ〜４ｃ用の操作パネル１１（図１参照）に配置された白色ＬＥＤ（Light Emitting Diode）を、マイコン５２からの制御に基づき駆動する。白色ＬＥＤは、操作パネル１１における７セグ表示器の光源である。音声ＩＣ５５は、マイコン５２からの制御に基づきスピーカ５５ａから所定の音声を出力させる。スピーカ５５ａは、図１に示したコンロ本体２の内部に設置されている。
【００６１】
コンロ操作基板５０に設置された回路部のうち、検出スイッチ５１、マイコン５２、メモリ５３および音声ＩＣ５５には、それぞれ定電圧回路３１により生成された３Ｖの電圧がラインＬ１を介して供給される。また、コンロ操作基板５０に設置された白色ＬＥＤ回路５４には、定電圧回路３２により生成された５Ｖの電圧がラインＬ２を介して供給される。
【００６２】
なお、図２に示した回路部のうち、定電圧回路３１により生成された３Ｖの電圧が供給される回路部は、特許請求の範囲に記載された「第１の負荷群」を構成し、定電圧回路３２により生成された５Ｖの電圧が供給される回路部は、特許請求の範囲に記載された「第２の負荷群」を構成する。本実施形態では、液晶回路４６および白色ＬＥＤ回路４５、５４が、液晶表示器および白色ＬＥＤとともに、第２の負荷群を構成する。また、主制御基板３０、グリル操作基板４０およびコンロ操作基板５０にそれぞれ設置されたマイコン３４、４２、５２は、第１の負荷群に含まれる。マイコン３４は、特許請求の範囲に記載された「第１のマイクロコンピュータ」に対応し、マイコン４２、５２は、特許請求の範囲に記載された「第１のマイクロコンピュータ」に対応する。
【００６３】
次に、マイコン３４によるＦＥＴ３３の切り替え制御について、図３のフローチャートを参照して説明する。
【００６４】
マイコン３４は、ユーザにより電源スイッチ１４がＯＮ状態に設定されて、定電圧回路３１からの電圧供給が開始されると（Ｓ１０１：ＹＥＳ）、図１に示した操作パネル１１、１３の両方が閉状態（第２の状態）にあるか否かを判定する（Ｓ１０２）。具体的には、マイコン３４は、所定のタイミングごとに、グリル操作基板４０のマイコン４２およびコンロ操作基板５０のマイコン５２から検出スイッチ４１、５１の状態を示す情報を取得し、取得した情報に基づいて、操作パネル１１、１３の両方が閉状態（第２の状態）にあるか否かを判定する。
【００６５】
操作パネル１１、１３の両方が閉状態（第２の状態）にある場合（Ｓ１０２：ＹＥＳ）、マイコン３４は、ＦＥＴ３３をＯＦＦに設定し（Ｓ１０３）、定電圧回路３２に対する電池電圧の供給を遮断する。これにより、定電圧回路３２による第２の負荷群（液晶回路４６、白色ＬＥＤ回路４５、５４）への電圧の供給が遮断される。
【００６６】
他方、操作パネル１１、１３の何れか一方または両方が開状態（第１の状態）にある場合（Ｓ１０２：ＮＯ）、マイコン３４は、ＦＥＴ３３をＯＮに設定し（Ｓ１０４）、定電圧回路３２に対する電池電圧の供給を維持する。これにより、定電圧回路３２による第２の負荷群（液晶回路４６、白色ＬＥＤ回路４５、５４）への電圧の供給が行われる。
【００６７】
その後、マイコン３４は、電源スイッチ１４がＯＦＦ状態に切り替わるまで（Ｓ１０５）、ステップＳ１０２〜Ｓ１０４の処理を繰り返す。電源スイッチ１４がＯＦＦ状態に切り替わるまでの間に、操作パネル１１、１３の何れか一方または両方が開状態（第１の状態）になると（Ｓ１０２：ＮＯ）、マイコン３４は、ＦＥＴ３３をＯＮ状態に設定し（Ｓ１０４）、さらに、その後、操作パネル１１、１３の両方が閉状態（第２の状態）になると（Ｓ１０２：ＹＥＳ）、マイコン３４は、ＦＥＴ３３をＯＦＦ状態に設定する（Ｓ１０３）。
【００６８】
こうして、操作パネル１１、１３の開閉状態に応じて、ＦＥＴ３３がＯＮ状態とＯＦＦ状態との間で切り替えられ、第２の負荷群（液晶回路４６、白色ＬＥＤ回路４５、５４）に対する電力の供給および遮断が切り替えられる。そして、電源スイッチ１４がＯＦＦ状態に切り替えられて（Ｓ１０５：ＹＥＳ）、定電圧回路３１からの給電が遮断されると、マイコン３４は、図３に示したＦＥＴ３３の切り替え制御を終了する。
【００６９】
＜実施の形態の効果＞
本実施形態によれば、以下の効果が奏され得る。
【００７０】
操作パネル１１、１３の両方が閉じられた状態、すなわち、ガスコンロ１が、第２の負荷群（液晶回路４６、白色ＬＥＤ回路４５、５４）を動作させる必要がないような装置状態である場合に、ＦＥＴ３３がＯＦＦ状態に設定されて、第２の負荷群（液晶回路４６、白色ＬＥＤ回路４５、５４）に対する電圧の供給が遮断される。これにより、第２の負荷群（液晶回路４６、白色ＬＥＤ回路４５、５４）による無駄な電力消費が抑制され、電池２０ａの寿命を効率的に高めることができる。
【００７１】
また、定電圧回路３２から５Ｖの電圧が供給される第２の負荷群として、液晶表示器を駆動するための液晶回路４６と、高輝度発光素子である白色ＬＥＤを駆動するための白色ＬＥＤ回路４５、５４が含まれている。このように、第２の負荷群に電力消費が高い回路が含まれるため、第２の負荷群（液晶回路４６および白色ＬＥＤ回路４５、５４）による無駄な電力消費が効果的に抑制され、電池２０ａの寿命をより効率的に高めることができる。
【００７２】
また、図２に示したように、ＦＥＴ３３（遮断回路）は、電池装着部２０と定電圧回路３２との間に介挿されるように設置されている。このため、ＦＥＴ３３がＯＦＦ状態に切り替わると、第２の負荷群（液晶回路４６および白色ＬＥＤ回路４５、５４）に対する電圧供給とともに、定電圧回路３２に対する電池電力の供給も遮断されるため、定電圧回路３２による無駄な電力消費がさらに抑制され得る。よって、電池の寿命をより効果的に高めることができる。
【００７３】
また、定電圧回路３１から３Ｖの電圧が供給される第１の負荷群として、主制御基板３０に設置されたマイコン３４と、グリル操作基板４０に設置されたマイコン４２と、コンロ操作基板５０に設置されたマイコン５２が含まれている。このため、ＦＥＴ３３がＯＦＦ状態となっても、マイコン３４およびマイコン４２、５２に対する電力供給が継続され、これらマイコン３４、４２、５２間の通信が維持される。よって、これらマイコン３４、４２、５２に基づくガスコンロ１の制御を適切に行うことができる。
【００７４】
また、本実施形態では、主制御基板３０に設置されたマイコン３４が、ＦＥＴ３３を切り替え制御するよう構成されている。このため、操作パネル１１、１３の状態に応じてＦＥＴ３３を切り替えための回路を別途設ける必要がないため、回路規模の抑制とコストの低減を図ることができる。
【００７５】
また、本実施形態では、定電圧回路３２により生成される電圧は、定電圧回路３１により生成される電圧よりも高くなっており、定電圧回路３２から電圧供給を受ける第２の負荷群（液晶回路４６、白色ＬＥＤ回路４５、５４）は、定電圧回路３１から電圧供給を受ける第１の負荷群（マイコン３４、等）よりも高い駆動電圧により作動する。したがって、ＦＥＴ３３がＯＦＦ状態に切り替わると、より電力消費が高い第２の負荷群について電力の供給が遮断されるため、無駄な電力消費をより効果的に抑制できる。よって、電池の寿命をより効果的に高めることができる。
【００７６】
以上、本発明の実施の形態について説明したが、本発明は、上記実施の形態によって何ら制限されるものではなく、また、本発明の実施の形態も、上記以外に種々の変更が可能である。
【００７７】
＜変更例＞
図４は、変更例に係る、ガスコンロ１の構成を示すブロック図である。
【００７８】
本変更例では、グリル操作基板４０に設置された白色ＬＥＤ回路４５および液晶回路４６と、ラインＬ２との間に、それぞれ、ＦＥＴ４７、４８が介挿されている。また、コンロ操作基板５０に設置された白色ＬＥＤ回路５４と、ラインＬ２との間に、ＦＥＴ５６が介挿されている。
【００７９】
ＦＥＴ４７、４８、５６がＯＮ状態にある場合に、定電圧回路３２により生成された電圧が、白色ＬＥＤ回路４５および液晶回路４６と、白色ＬＥＤ回路５４に供給される。ＦＥＴ４７、４８、５６がＯＦＦ状態に切り替わると、白色ＬＥＤ回路４５、５４および液晶回路４６に対する定電圧回路３２からの電圧供給が遮断される。ＦＥＴ４７、４８はマイコン４２により制御され、ＦＥＴ５６はマイコン５２により制御される。
【００８０】
図５は、本変更例に係る電力の遮断制御を示すフローチャートである。図５のフローチャートは、マイコン４２、５２によりそれぞれ行われる。ここでは、マイコン４２における制御について、図５のフローチャートを参照して説明する。
【００８１】
マイコン４２は、電源スイッチ１４がＯＮ状態に設定されて、ラインＬ１により電圧が供給されると（Ｓ２０１：ＹＥＳ）、グリル部６用の操作パネル１３が閉状態（第２の状態）にあるか否かを判定する（Ｓ２０２）。操作パネル１３が閉状態（第２の状態）にある場合（Ｓ２０２：ＹＥＳ）、マイコン４２は、ＦＥＴ４７、４８をＯＦＦ状態に設定し、白色ＬＥＤ回路４５および液晶回路４６に対する定電圧回路３２からの電圧供給を遮断する（Ｓ２０３）。他方、操作パネル１３が開状態（第１の状態）にある場合（Ｓ２０２：ＮＯ）、マイコン４２は、ＦＥＴ４７、４８をＯＮ状態に設定し、定電圧回路３２からの電圧を白色ＬＥＤ回路４５および液晶回路４６に供給する（Ｓ２０４）。
【００８２】
マイコン４２は、電源スイッチ１４がＯＦＦ状態に設定されるまで（Ｓ２０５）、ステップＳ２０２〜Ｓ２０４の処理を繰り返す。これにより、グリル部６用の操作パネル１３の開閉に応じて、白色ＬＥＤ回路４５および液晶回路４６に対する電圧の供給および遮断が切り替えられる。その後、電源スイッチ１４がＯＦＦ状態に設定されると（Ｓ２０５：ＹＥＳ）、マイコン４２は、図５の処理を終了する。
【００８３】
マイコン５２の制御では、ステップＳ２０２における判定が、コンロ部４ａ〜４ｃ用の操作パネル１１に対して行われ、ステップＳ２０３、２０４の処理が、ＦＥＴ５６に対して行われる。これにより、コンロ部４ａ〜４ｃ用の操作パネル１１の開閉に応じて、白色ＬＥＤ回路５４に対する電圧の供給および遮断が切り替えられる。
【００８４】
この変更例によれば、グリル操作基板４０およびコンロ操作基板５０に設置された白色ＬＥＤ回路４５、５４および液晶回路４６に対する電力供給が、操作パネル１１、１３の開閉状態に応じて個別に遮断されるため、より細かく且つ柔軟に、これら負荷群による無駄な電力消費を抑制できる。よって、電池の寿命をより効率的に高めることができる。
【００８５】
また、ＦＥＴ４７、４８はマイコン４２により切り替え制御され、ＦＥＴ５６はマイコン５２により切り替え制御されるため、これらＦＥＴ４７、４８、５６を切り替えるための回路を別途設ける必要がなく、回路規模の抑制とコストの低減を図ることができる。
【００８６】
なお、この変更例においては、図３に示したフローチャートの制御が省略されてもよい。ただし、操作パネル１１、１３の両方が閉じられた場合に、図３に示したフローチャートの制御により、主制御基板３０の定電圧回路３２に対する電源供給が遮断された方が、定電圧回路３２による電力消費が削減できるため、より効果的に、ガスコンロ１の電力消費を抑制することができる。よって、図５のフローチャートとともに、図３のフローチャートが実行されるのが好ましい。
【００８７】
＜その他の変更例＞
上記実施の形態では、第２の負荷群の負荷として、液晶表示器がグリル部６用の操作パネル１３に設けられたが、第２の負荷群の負荷として、コンロ部４ａ〜４ｃ用の操作パネル１１に、液晶表示器が設けられてもよい。また、第２の負荷群の負荷として、天板３に液晶表示器が設けられてもよい。この場合、この液晶表示器には、たとえば、コンロ部４ａ〜４ｃにおける調理の状態またはグリル部６における調理の状態が表示される。そして、コンロ部４ａ〜４ｃでの調理が停止している状態またはグリル部６における調理が停止している状態において、この液晶表示器に対する定電圧回路３２からの電圧の供給が遮断される。
【００８８】
また、上記実施の形態では、マイコン３４がＦＥＴ３３を制御したが、マイコン３４以外の回路によりＦＥＴ３３のＯＮ／ＯＦＦ状態が切り替えられてもよい。たとえば、検出スイッチ４１、５１の両方がＯＮの場合にハイレベルとなり、検出スイッチ４１、５１の少なくとも一方がＯＦＦの場合にローレベルとなる信号を出力するハードウエア回路を別途設け、この回路の出力によりＦＥＴ３３を制御してもよい。
【００８９】
同様に、図４に示した変更例において、ＦＥＴ４７、４８が、検出スイッチ４１のＯＮ／ＯＦＦに応じて出力がハイレベルとローレベルに切り替わるハードウエア回路によって制御されてもよく、ＦＥＴ５６が、検出スイッチ５１のＯＮ／ＯＦＦに応じて出力がハイレベルとローレベルに切り替わるハードウエア回路によって制御されてもよい。
【００９０】
また、第２の負荷群は、上記実施形態および変更例に示した白色ＬＥＤ回路４５、５４および液晶回路４６に限られるものではなく、適宜、種々の変更可能である。
【００９１】
さらに、ガスコンロ１の構成も、上記実施形態に示された構成に限られるものではなく、適宜種々の変更が可能である。たとえば、上記実施形態では、ガスコンロ１に３つのコンロ部４ａ、４ｂ、４ｃが設けられたが、ガスコンロ１に設けられるコンロ部の数はいくつであってもよい。
【００９２】
さらに、上記実施の形態では、本発明の電池式制御装置の一例としてガスコンロ１が示されたが、本発明は、電池を電源として用いる他の電池式制御装置にも適用され得る。
【００９３】
この他、本発明の実施形態は、特許請求の範囲に記載の範囲で適宜変更可能である。
【符号の説明】
【００９４】
１  ガスコンロ（電池式制御装置）
１１、１３  操作パネル（操作表示部）
２０  電池装着部
２０ａ  電池
３０  主制御基板（第１の基板）
３１  定電圧回路（第１の電圧生成回路）
３２  定電圧回路（第２の電圧生成回路）
３３  ＦＥＴ（遮断回路）
３４  マイクロコンピュータ（第１のマイクロコンピュータ）
４０  グリル操作基板（第２の基板）
４２  マイクロコンピュータ（第２のマイクロコンピュータ）
４５  白色ＬＥＤ回路（第２の負荷群）
４６  液晶回路（第２の負荷群）
５０  コンロ操作基板（第２の基板）
５２  マイクロコンピュータ（第２のマイクロコンピュータ）
５４  白色ＬＥＤ回路（第２の負荷群）
【図１】
2019115117.tif 000003
【図２】
2019115117.tif 000004
【図３】
2019115117.tif 000005
【図４】
2019115117.tif 000006
【図５】
2019115117.tif 000007